(57)【要約】      （修正有）【課題】ゲルホルダに対するプリント基板の接着強度を向上させる光ピックアップ装置を提供する。【解決手段】アクチュエータは、ベースと、ベース上に設けられ、光源から射出された光ビームを光ディスクの情報記録面に集光させる対物レンズを支持するレンズホルダと、ベース上に設けられ、プリント基板が取り付けられる取付部と、取付部に設けられる複数の貫通孔に挿通され、一端がレンズホルダに取り付けられ、他端がプリント基板に接続されて、レンズホルダを揺動可能に支持する複数のワイヤと、を備え、取付部においてプリント基板との接触面には接着剤が充填される凹部が設けられ、プリント基板は、当該凹部を塞ぐように取付部に接触することで接着剤を介して取付部に取り付けられており、プリント基板には、取付部に取り付けられたときに、取付部の凹部内部に挿入される突起部が形成されている。【選択図】図１
2012252751.tif 000002
【特許請求の範囲】
【請求項１】
対物レンズをフォーカス方向及びトラッキング方向に移動可能とするアクチュエータを備える光ピックアップ装置であって、
前記アクチュエータは、
ベースと、
前記ベース上に設けられ、光源から射出された光ビームを光ディスクの情報記録面に集光させる対物レンズを支持するレンズホルダと、
前記ベース上に設けられ、プリント基板が取り付けられる取付部と、
前記取付部に設けられる複数の貫通孔に挿通され、一端が前記レンズホルダに取り付けられ、他端が前記プリント基板に接続されて、前記レンズホルダを揺動可能に支持する複数のワイヤと、
を備え、
前記取付部において前記プリント基板との接触面には接着剤が充填される凹部が設けられ、前記プリント基板は、当該凹部を塞ぐように前記取付部に接触することで接着剤を介して前記取付部に取り付けられており、
前記プリント基板には、前記取付部に取り付けられたときに、前記取付部の凹部内部に挿入される突起部が形成されていることを特徴とする光ピックアップ装置。
【請求項２】
前記取付部は、前記貫通孔にゲル材が充填されるゲルホルダであることを特徴とする請求項１に記載の光ピックアップ装置。
【請求項３】
前記プリント基板の前記突起部は、略円柱状のボスであることを特徴とする請求項１又は請求項２に記載の光ピックアップ装置。
【請求項４】
前記プリント基板の前記突起部は、略矩形柱状のリブであることを特徴とする請求項１又は請求項２に記載の光ピックアップ装置。
【請求項５】
前記プリント基板の前記突起部は、径大部と径小部とからなり、前記径小部はその軸方向の一端側が前記プリント基板に連結され、その軸方向の他端側が前記径大部に連結されていることを特徴とする請求項１〜請求項４のいずれか１項に記載の光ピックアップ装置。
【発明の詳細な説明】
【技術分野】
【０００１】
本発明は、光ピックアップ装置に関し、特に、対物レンズを所定の方向に移動可能とするアクチュエータの構成に関する。
【背景技術】
【０００２】
近年、コンパクトディスク（以下、ＣＤという。）、デジタル多用途ディスク（以下、ＤＶＤという。）、ブルーレイディスク（以下、ＢＤという。）、ＨＤ−ＤＶＤといった光ディスクが実用化されている。このような光ディスクの記録再生を行うにあたっては、光ビーム（レーザ光）を光ディスクに照射して情報の記録や情報の読み取りを可能とする光ピックアップ装置が用いられる。
【０００３】
従来の光ピックアップ装置は、光ビームを射出する光源と、光源から射出された光ビームを光ディスクの記録面上に高精度に集光させる対物レンズと、対物レンズが搭載される対物レンズアクチュエータとを備えており、対物レンズは、光ディスクの情報記録面と略垂直な方向であるフォーカス方向や、光ディスクの径方向と略平行な方向であるトラッキング方向に移動可能とされる。
【０００４】
対物レンズアクチュエータには対物レンズを支持するレンズホルダが備えられており、当該レンズホルダは、複数本の弾性を有するワイヤによってベースに対して揺動可能に支持されている。そして、このような対物レンズアクチュエータにおいて、レンズホルダは、フォーカス用コイル及びトラッキング用コイル等を備え、さらに、ベース上に永久磁石を備える。ベース上には基板が立設されていて、各ワイヤの一端が基板に接続されるとともに、各ワイヤの他端がフォーカス用コイル又はトラッキング用コイルに接続されている。更にそれらの各ワイヤは、接着剤やハンダ等でレンズホルダに接合されている。
【０００５】
しかしながら、各ワイヤはレンズホルダの駆動に応じて振動が生じるという問題がある。そこでそのような振動を抑制するために、ベース上には、各ワイヤが挿通されるとともにゲル材が充填される貫通孔を有するゲルホルダが設けられており、当該ゲルホルダの貫通孔に各ワイヤが挿通されることによって各ワイヤの振動が減衰される。
【０００６】
このようなゲルホルダはその内面側が永久磁石やレンズホルダに対向しており、一方、その外側面にはプリント基板が固定配置されている。
【０００７】
特許文献１に記載されている光ピックアップとその組立方法において、接続配線をゲルボックスの背面から両側面にかけて略コ字状に折り曲げて接続配線の両端部により、ゲルボックスの側面開口部を塞ぐ構成とし、当該側面開口部に紫外線硬化機能付き熱硬化性接着剤を充填している。そして、紫外線を照射することによって熱硬化性接着剤を半硬化させて接続配線の両端部をゲルボックスの両側面に仮固定した後、接続配線が仮固定されたゲルボックスを加熱炉に入れて例えば８０℃で２０〜３０分加熱することで熱硬化性接着剤を完全硬化させて接続配線の両端部をゲルボックスの両側面に本固定することが開示されている。
【０００８】
特許文献２に記載されている光ピックアップアクチュエータにおいて、ワイヤホルダーとワイヤホルダーの後面（外面側）に配置される印刷回路基板とは、ワイヤホルダーに形成された組み立てボスに、印刷回路基板の当該組み立てボスに対応する位置に形成された組み立て孔を貫通させることで、印刷回路基板がワイヤホルダーの組み立てボスに沿って動くように支持される。また、ワイヤホルダーの空間部の中間にはねじ締結溝が形成されると共に、印刷回路基板の中間部分にはワイヤホルダーのねじ締結溝に対応する位置に、ねじ結合孔が形成されている。そして、印刷回路基板のねじ結合孔を貫いてワイヤホルダーのねじ締結溝に締結するように調整ねじを組み立てることによって、印刷回路基板がワイヤホルダーに固定されることが開示されている。
【先行技術文献】
【特許文献】
【０００９】
【特許文献１】特開２００７−２８７２６３号公報
【特許文献２】特開２００５−１８２９７７号公報
【発明の概要】
【発明が解決しようとする課題】
【００１０】
ゲルホルダの一部に充填された接着剤を利用してプリント基板をゲルホルダに固定配置する場合、そのプリント基板と接着剤の接触位置（接着位置）は、特許文献１のようにゲルボックス（ゲルホルダ）の側面側としたり、ゲルボックス（ゲルホルダ）の背面側（外面側側）としたりすることができるが、いずれの場合であっても、接着剤とプリント基板との接触面積（接着位置）が小さく、ゲルホルダに対するプリント基板の接着強度を向上させることが困難であった。
【００１１】
本発明は上述した問題点に鑑み、基板に突起部を形成することでゲルホルダの一部に充填された接着剤とプリント基板との接触面積（接着面積）を増やし、これによってゲルホルダに対するプリント基板の接着強度を向上させる光ピックアップ装置を提供することを目的とする。
【課題を解決するための手段】
【００１２】
上記目的を達成するために本発明の光ピックアップ装置は、対物レンズをフォーカス方向及びトラッキング方向に移動可能とするアクチュエータを備える光ピックアップ装置であって、前記アクチュエータは、ベースと、前記ベース上に設けられ、光源から射出された光ビームを光ディスクの情報記録面に集光させる対物レンズを支持するレンズホルダと、前記ベース上に設けられ、プリント基板が取り付けられる取付部と、前記取付部に設けられる複数の貫通孔に挿通され、一端が前記レンズホルダに取り付けられ、他端が前記プリント基板に接続されて、前記レンズホルダを揺動可能に支持する複数のワイヤと、を備え、前記取付部において前記プリント基板との接触面には接着剤が充填される凹部が設けられ、前記プリント基板は、当該凹部を塞ぐように前記取付部に接触することで接着剤を介して前記取付部に取り付けられており、前記プリント基板には、前記取付部に取り付けられたときに、前記取付部の凹部内部に挿入される突起部が形成されていることを特徴としている。
【００１３】
この構成によれば、プリント基板に形成された突起部の表面積の内、少なくとも側面積に相当する面積について、接着剤とプリント基板との接触面積が増えるので、接着剤（接着剤が充填された凹部を備えるゲルホルダ）を加熱して接着剤を硬化させたときに、ゲルホルダに対するプリント基板の接着強度が向上する。
【００１４】
また上記構成の光ピックアップ装置において、前記取付部は、前記貫通孔にゲル材が充填されるゲルホルダであることが望ましい。
【００１５】
この構成によれば、プリント基板の保持とワイヤの支持（ワイヤの振動の抑制）とを一つの部材で行うことができ、光ピックアップ装置の小型化を実現することができる。
【００１６】
また上記構成の光ピックアップ装置において、前記プリント基板の前記突起部は、略円柱状のボスであることが望ましい。
【００１７】
この構成によれば、ゲルホルダに対するプリント基板の接着強度を向上させつつ、汎用性の高いプリント基板とすることができる。
【００１８】
また上記構成の光ピックアップ装置において、前記プリント基板の前記突起部は、略矩形柱状のリブであることが望ましい。
【００１９】
この構成によれば、突起部の表面積が増えるので、ゲルホルダに対するプリント基板の接着強度がさらに向上する。
【００２０】
また上記構成の光ピックアップ装置において、前記プリント基板の前記突起部は、径大部と径小部とからなり、前記径小部はその軸方向の一端側が前記プリント基板に連結され、その軸方向の他端側が前記径大部に連結されていることが望ましい。
【００２１】
この構成によれば、突起部の表面積が増えるので、ゲルホルダに対するプリント基板の接着強度がさらに向上ことがする。また、径大部とプリント基板の内側面との間に形成される隙間を熱硬化性接着剤が埋めて硬化することにより、当該隙間の熱硬化性接着剤と径大部とが掛合するので、ゲルホルダに対するプリント基板の接着強度が著しく向上する。
【発明の効果】
【００２２】
本発明によれば、プリント基板に形成された突起部の表面積の内、少なくとも側面積に相当する面積について、接着剤とプリント基板との接触面積が増えるので、接着剤（接着剤が充填された凹部を備えるゲルホルダ）を加熱して接着剤を硬化させたときに、ゲルホルダに対するプリント基板の接着強度が向上する。
【図面の簡単な説明】
【００２３】
【図１】は、光ピックアップ装置が備える光学系の構成を示す概略図である。
【図２】は、対物レンズアクチュエータの構成を示す概略斜視図の第１例である。
【図３】は、対物レンズアクチュエータの構成を示す概略斜視図の第２例である。
【図４】は、フレキシブルプリント基板の構成を示す概略平面図の第１例である。
【図５】は、フレキシブルプリント基板の構成を示す概略平面図の第２例である。
【図６】は、フレキシブルプリント基板の構成を示す概略平面図の第３例である。
【図７】は、リジッドプリント基板が備える突起部の形状と接着剤との関係を示す模式図である。
【発明を実施するための形態】
【００２４】
以下に本発明の光ピックアップ装置について図面を参照して説明する。但し、以下に示す実施形態は、本発明の技術的思想を具体化するために本発明の光ピックアップ装置の一例を示すものであって、本発明をこの光ピックアップ装置に特定することを意図するものではなく、特許請求の範囲に含まれるその他の実施形態の装置にも等しく適応し得るものである。
【００２５】
例えば、本実施形態の光ピックアップ装置１においては、ＢＤ用の光学系とＤＶＤ／ＣＤ用の光学系とを完全に独立した構成としているが、一部の光学部材を、ＢＤ、ＤＶＤ、およびＣＤの情報の再生等を行う場合に共通して使用するような構成等としても構わない。また、波面収差を補正する収差補正素子等、必要に応じて各種光学部材を追加しても構わない。
【００２６】
[光ピックアップ装置の概略構成]
まず、本実施形態の光ピックアップ装置の概略構成について図１を参照しながら説明する。図１は、本実施形態の光ピックアップ装置が備える光学系の構成を示す概略図である。本実施形態の光ピックアップ装置１は、ＢＤ、ＤＶＤ、及びＣＤに対して情報の読み取りと情報の書き込みを可能に設けられている。
【００２７】
図１に示すように、光ピックアップ装置１は２種類の光学系を備える。このうちの一方はＢＤ用の光学系で、他方はＤＶＤ及びＣＤ（ＤＶＤ／ＣＤ）用の光学系である。この２種類の光学系は、光ピックアップ装置１によって情報の読み取りや書き込みが行われる光ディスク５０の種類（ここでは、ＢＤ、ＤＶＤ、及びＣＤのうちのいずれか）によって切り換えて使用される。以下、ＢＤ用の光学系、ＤＶＤ／ＣＤ用の光学系について、別々に説明する。
【００２８】
ＢＤ用の光学系は、第１レーザダイオード１１と、回折素子１２と、偏光ビームスプリッタ１３と、第１コリメートレンズ１４と、１／４波長板１５と、第１立ち上げミラー１６と、第１対物レンズ１７と、第１シリンドリカルレンズ１８と、第１フォトディテクタ１９と、を備える。
【００２９】
第１レーザダイオード１１は、波長４０５ｎｍ帯の光ビーム（レーザ光）を出射する光源である。第１レーザダイオード１１から出射された光ビームは、回折素子１２によって主ビームと２つの副ビームとに分けられる。回折素子１２から出射した光ビームは、偏光ビームスプリッタ１３で反射され、第１コリメートレンズ１４に送られる。
【００３０】
第１コリメートレンズ１４は、図示しない駆動手段によって光軸方向（図１に示す矢印の方向）に移動可能となっており、その位置によって、第１対物レンズ１７に入射する光ビームの収束発散状態を変化させる。このような構成とするのは、球面収差の補正を行えるようにするためである。
【００３１】
第１コリメートレンズ１４を出射した光ビームは、偏光ビームスプリッタ１３と協働して光アイソレータとして機能する１／４波長板１５を通過し、第１立ち上げミラー１６によって反射されて第１対物レンズ１７に入射する。第１対物レンズ１７は、入射した光ビームを光ディスク５０の情報記録面５０ａに集光する。
【００３２】
光ディスク５０で反射された光ビームは、第１対物レンズ１７を透過後、第１立ち上げミラー１６で反射され、１／４波長板１５、第１コリメートレンズ１４の順に透過後、更に偏光ビームスプリッタ１３も透過する。偏光ビームスプリッタ１３を透過した光ビームは、非点収差を付与する機能を有する第１シリンドリカルレンズ１８を透過して、第１フォトディテクタ１９の受光面に集光する。第１フォトディテクタ１９は、入射した光信号を電気信号に変換して出力する。ここで出力された電気信号は図示しない信号処理部で処理されて、再生信号や、フォーカスエラー信号や、トラッキングエラー信号等となる。
【００３３】
次に、ＤＶＤ／ＣＤ用の光学系について説明する。ＤＶＤ／ＣＤ用の光学系は、第２レーザダイオード２１と、ハーフミラー２２と、第２コリメートレンズ２３と、第２立ち上げミラー２４と、第２対物レンズ２５と、第２シリンドリカルレンズ２６と、第２フォトディテクタ２７と、を備える。
【００３４】
第２レーザダイオード２１は、波長６５０ｎｍ帯の光ビームと、波長７８０ｎｍ帯の光ビームと、を切り換えて出射できる２波長レーザである。第２レーザダイオード２１から出射された光ビームは、ハーフミラー２２で反射されて第２コリメートレンズ２３に送られ、平行光に変換される。
【００３５】
第２コリメートレンズ２３から出射された光ビーム（平行光）は、第２立ち上げミラー２４で反射され、第２対物レンズ２５に入射し、光ディスク５０の記録面５０ａに集光する。
【００３６】
光ディスク５０で反射された光ビームは、第２対物レンズ２５を透過後、第２立ち上げミラー２４で反射され、第２コリメートレンズ２３、ハーフミラー２２の順に透過し、非点収差を付与する機能を有する第２シリンドリカルレンズ２６を透過して、第２フォトディテクタ２７の受光面に集光する。第２フォトディテクタ２７は、入射した光信号を電気信号に変換して出力する。ここで出力された電気信号は図示しない信号処理部によって処理されて、再生信号や、フォーカスエラー信号や、トラッキングエラー信号等となる。
【００３７】
第１対物レンズ１７と第２対物レンズ２５とは、その詳細は後述する対物レンズアクチュエータ３０によって、フォーカス方向とトラッキング方向とに移動可能となっている。これにより、光ピックアップ装置１におけるフォーカシング制御やトラッキング制御が可能となっている。
【００３８】
なお、フォーカス方向とは、対物レンズ１７、２５が光ディスク５０に対して接離する方向（図１では上下方向）であり、トラッキング方向とは、光ディスク５０の半径方向（ラジアル方向）と平行な方向（図１では紙面と垂直な方向）である。
【００３９】
[対物レンズアクチュエータの構成]
次に、本実施形態の光ピックアップ装置１に備えられる対物レンズアクチュエータ３０の構成の詳細について、図２〜図６を参照しながら説明する。ここで、図２は、本実施形態の対物レンズアクチュエータの構成を示す概略斜視図の第１例である。図３は、対物レンズアクチュエータの構成を示す概略斜視図の第２例である。図４は、フレキシブルプリント基板の構成を示す概略平面図の第１例である。図５は、フレキシブルプリント基板の構成を示す概略平面図の第２例である。図６は、フレキシブルプリント基板の構成を示す概略平面図の第３例である。なお、図２〜図６において同一の部分については同一の符号を付している。
【００４０】
図２は、ゲルホルダ３４にリジッドプリント基板３５が固定配置されて（取り付けられて）いるときにおける対物レンズアクチュエータの構成を示す概略斜視図であり、図３はゲルホルダ３４にリジッドプリント基板３５が固定配置されていないときにおける対物レンズアクチュエータの構成を示す概略斜視図である。
【００４１】
図２を参照して、本実施形態の対物レンズアクチュエータ３０は、ベース３１と、レンズホルダ３２と、四つの永久磁石３３と、ゲルホルダ３４と、リジッドプリント基板３５と、６本のワイヤ（棒状弾性支持部材）３７と、を備える。
【００４２】
ベース３１は強磁性を有する金属からなる。ベース３１には、そのほぼ中央に光ビームを通過させる貫通孔（図示せず）が形成されている。そして、この貫通孔の上にレンズホルダ３２が配置される構成となっている。また、ベース３１上には、四つの永久磁石３３と、ゲルホルダ３４と、が固定配置される。
【００４３】
レンズホルダ３２は、液晶ポリマ（ＬＣＰ）等の樹脂によって形成され、対物レンズ１７、２５を保持する。本実施形態においては、光ピックアップ装置１が２つの対物レンズ１７、２５を有する構成となっているために、レンズホルダ３２には２つの対物レンズ１７、２５を保持できるように２つの保持部（図示せず）が設けられる。２つの保持部はそれぞれ光ビームを通過させる光路孔（図示せず）と繋がっており、これにより第１レーザダイオード１１からの光ビームが第１対物レンズ１７を、第２レーザダイオード２１からの光ビームが第２対物レンズ２５を通過するようになっている。また、レンズホルダ３２はベース３１上に永久磁石３３を立設するために断面略十字状に形成されている。
【００４４】
レンズホルダ３２の内側には、その内壁に沿って、略矩形状に巻回されたフォーカスコイル（図示せず）が接着剤等で貼り付けられている。また、レンズホルダ３２の側壁であって、各永久磁石３３において後述するヨーク３１ａに対向する面の反対側の面と対向する部分のそれぞれには、トラッキングコイル３８がそれぞれ一つずつ接着剤等で貼り付けられている。なお、これら４つのトラッキングコイル３８は全体として１本の線で繋がっている。
【００４５】
ベース３１上に立設される四つの永久磁石３３は例えば希土類磁石から成り、断面略十字状に形成されているレンズホルダ４２の四隅に立設されて、四隅からレンズホルダ３２を挟むように配置される。すなわち、本実施形態においてベース３１上には、２つのトラッキングコイル３８を挟んで対向する一対の永久磁石３３が左右に立設されていると言い換えることができる。一対の永久磁石３３は、同一の極（Ｎ極又はＳ極）が向かい合うように配置される。また、永久磁石３３のそれぞれは、外面がベース３１から折曲形成されたヨーク３１ａに磁着された状態とされる。
【００４６】
なお、ヨーク３１ａのうち、ゲルホルダ３４側に形成されているヨーク３１ａは、上述したようにベース３１の中央に貫通孔を形成する際に、ベース３１において刳り貫かれる部分（刳り貫き部）の全部又は一部を折り曲げることによって形成される。
【００４７】
ポリカーボネート等の樹脂成型品から成るゲルホルダ３４は、一方のヨーク３１ａの外面側（ヨーク３１ａにおいて、レンズホルダ３２及び永久磁石３３に対向する側の反対側）に配置される。ゲルホルダ３４には、一対の挿通孔３４ａが左右対称に形成されている（図３参照）。一対の挿通孔３４ａのそれぞれには、シリコンを主成分とするゲル材が充填される。このゲル材は、低粘度のゲル材（ゾル）がゲルホルダ３４の各挿通孔３４ａに注入された後、所定時間の紫外線照射によってゲル状に硬化したものである。
【００４８】
リジッドプリント基板３５は、ゲルホルダ３４の外側面（ゲルホルダ３４において、ヨーク３１ａに対向する面の反対側の面）に固定配置され、また、リジッドプリント基板３５の外側面（リジットプリント基板３５において、ゲルホルダ３４と接触する面と反対側面）には図示しないフレキシブルプリント基板が固定配置されている。リジッドプリント基板３５とフレキシブルプリント基板とは、光ピックアップ装置１全体を制御する制御部からの信号を受信して、対物レンズアクチュエータ３０に伝達するための回路基板である。
【００４９】
ゲルホルダ３４に対するリジッドプリント基板３５の固定は、熱硬化性の接着剤を用いて行われる。ただし、接着剤による固定に加えてビス止めを行ったり、半田による固定を行ったりしても構わない。
【００５０】
図３に示すように、ゲルホルダ３４の外側面３４ｂの両側端部には、後述するワイヤ３７が挿通される挿通孔３４ａが左右対称に形成される。各挿通孔３４ａには、ワイヤ３７が三本ずつ挿通された状態となっている。これにより、レンズホルダ３２の駆動に応じて各ワイヤ３７に生じた振動（主に低次の共振）を減衰することが可能となる。
【００５１】
また、ゲルホルダ３４の外側面３４ｂにおいて各挿通孔３４ａの近傍（ゲルホルダ３４の中央部側）には、位置決めボス３４ｃが左右対称に形成されている。一方、フレキシブルプリント基板には、図４に示すように、ゲルホルダ３４の位置決めボス３４ｃに対応する位置に一対の位置決め孔３５ｃが形成されており、各位置決め孔３５ｃに各位置決めボス３４ｃが挿通されることで、リジッドプリント基板３５のゲルホルダ３４の外側面３４ｂに対する位置が決まる。
【００５２】
また、図３に示すように、ゲルホルダ３４の外側面３４ｂの中央部には、熱硬化性接着剤等の接着剤が充填される略コ字状の凹部３４ｄが左右対称に形成されている。ゲルホルダ３４の凹部３４ｄの開口部は、リジッドプリント基板３５のゲルホルダ３４の外側面３４ｂに対する位置決めが完了したときに（各位置決めボス３４ｃがリジッドプリント基板３５の各位置決め孔３５ｃに挿通されたときに）、リジッドプリント基板３５の内側面（リジッドプリント基板３５において、ゲルホルダ３４の外側面３４ｂと接触する面）３５ａによって塞がれる。
【００５３】
なお、本実施形態では、ゲルホルダ３４の凹部３４ｄの形状が略コ字状である場合を例に説明したが、ゲルホルダ３４の凹部３４ｄの形状は略コ字状に限られず、略円状（略楕円状も含む）や、略矩形状など種々の形状を選択することができる。例えば後述するようにゲルホルダ３４が位置決めボス３４ｃを備えない構成とすることで、ゲルホルダ３４の凹部３４ｄの形状を略矩形状とすることができる。
【００５４】
そして、凹部３４ｄがリジッドプリント基板３５の内側面３５ａによって閉鎖された状態で、ゲルボックス３４を加熱することで熱硬化性接着剤を硬化させ、リジッドプリント基板３５のゲルホルダ３４に対する取り付け（固定、接着）が完了する。
【００５５】
図４が示すようにリジッドプリント基板３５の内側面３５ａの中央部には、一対の突起部３５ｂ、が左右対称に形成されている。各突起部３５ｂは、リジッドプリント基板３５のゲルホルダ３４の外側面３４ｂに対する位置決めが完了したときに（各位置決めボス３４ｃがリジッドプリント基板３５の各位置決め孔３５ｃに挿通されたときに）、ゲルホルダ３４の各凹部３４ｄ内部に挿入される位置に形成されている。
【００５６】
このように、ゲルホルダ３４の各凹部３４ｄにリジッドプリント基板３５の突起部３５ｂが挿入された状態で、ゲルホルダの各凹部３４ｄに充填された熱硬化性接着剤に熱を加えて硬化させることで、熱硬化性接着剤とリジッドプリント基板３５との接触面積（リジッドプリント基板３５の接着面積）が増えるので、ゲルホルダ３４とリジッドプリント基板３５との接着強度を増加させることができる。
【００５７】
なお、リジッドプリント基板３５の突起部３５ｂの形状は特に限定されるものではなく、図４が示すように略円柱状のボスとしてもよいし、図５が示すように略矩形柱状のリブとしてもよい。
【００５８】
図４が示すような略円柱状のボスは、基本的に、ゲルホルダ３４の各凹部３４ｄの形状によらずに各凹部３４ｄに挿入することができるので汎用性が高い。一方、図５に示すような略矩形柱状のリブは、ゲルホルダ３４の各凹部３４ｄの形状を当該突起部３５ｂの形状に合致させなければならない（例えば図５に示す突起部３５ｂに合わせて、凹部３４ｄの形状は少なくとも縦長形状である必要がある）が、接着面積は増大するため接着強度は向上する。
【００５９】
また、リジッドプリント基板３５の突起部３５ｂの形状は、図６に示すように径小部３５１と径大部３５２とから構成されていることとしてもよい。径小部３５１はその軸方向の一端側がリジッドプリント基板３５の内側面３５ａに連結され、その軸方向の他端側が径大部３５２の外側面３５２ａに連結されている。これによって、径大部３５２の外側面３５２ａとリジッドプリント基板３５の内側面３５ａとの間には所定の隙間が形成される。
【００６０】
上述したようなリジッドプリント基板３５の突起部３５ｂが径小部３５１と径大部３５２とから構成されている場合におけるゲルホルダ３４に対するリジッドプリント基板３５の接着強度の向上について、図７に示すリジッドプリント基板が備える突起部の形状と接着剤との関係を示す模式図を用いて以下に説明する。
【００６１】
図７（ａ）に示すように、突起部３５ｂが略円柱状であるときは、リジッドプリント基板３５に、リジッドプリント基板３５をゲルホルダ３４から引き剥がそうとする方向（図中の矢印Ａ）に力が加わったときに、熱硬化性接着剤と接触している突起部３５ｂの側面部と底面部（若しくは上面部）が、リジッドプリント基板３５がゲルホルダ３４から引き剥がされないように抵抗する。
【００６２】
一方、突起部３５ｂが径小部３５１と径大部３５２とから構成されており、径大部３５２（径大部３５２の外側面３５２ａ）とリジッドプリント基板３５（リジッドプリント基板３５の内側面３５ａ）との間に所定の隙間Ｇが形成されると、図７（ｂ）に示すように、熱硬化性接着剤が隙間Ｇを埋めるので、突起部３５ｂと熱硬化性接着剤との接触面積が増える。また、この状態で熱硬化性接着剤が硬化すると、硬化した隙間Ｇの熱硬化性接着剤と径大部３５２とが掛合することになる。
【００６３】
従って、ゲルホルダ３４に対するリジッドプリント基板３５の接着強度は著しく高まるので、リジッドプリント基板３５に、リジッドプリント基板３５をゲルホルダ３４から引き剥がそうとする方向（図中の矢印Ａ）に力が加わっても、リジッドプリント基板３５はゲルホルダ３４から引き剥がれない。
【００６４】
なお、本実施形態では、ゲルホルダ３４の位置決めボス３４ｃとリジッドプリント基板３５の位置決め孔３５ｃとによって、リジッドプリント基板３５のゲルホルダ３４の外側面３４ｂに対する位置を決めることとしているが、リジッドプリント基板３５の形状を工夫することによって、位置決めボス３４ｃと位置決め孔３５ｃとを設けないこととしてもよい。すなわち、突起部３５ｂが凹部３４ｄに挿通されることによって、リジッドプリント基板３５のゲルホルダ３４の外側面３４ｂに対する位置が決まることとしてもよい。
【００６５】
図２に戻って、ワイヤ３７は導電性を有する部材からなる。ワイヤ３７は、レンズホルダ３２を挟むように存在する第１の側（レンズホルダ３２の側面３２ａがある側）と第２の側（レンズホルダ３２の側面３２ｂがある側）とに、各３本ずつ、計６本設けられる。各ワイヤ３７の一方の端部はレンズホルダ３２に設けられる中継基板３９（図２及び図３では１つのみ示しているが、レンズホルダ３２の対向する位置に、もう１つ設けられる）に半田付けにて固定される。
【００６６】
なお、中継基板３９には、配線パターンが形成されており、上段の２本のワイヤ３７は、中継基板３９を介してフォーカスコイル（図示せず）と電気的に接続された状態となっている。また、下段の２本のワイヤ３７は、中継基板３９を介してトラッキングコイル３８と電気的に接続された状態となっている。
【００６７】
ワイヤ３７うち、上段及び下段の計４本のワイヤ３７は、その他方の端部がリジッドプリント基板３５に形成される貫通孔３５ｄを挿通するように設けられ、半田付けにて固定される。一方、中段の２本のワイヤ３７は、その他方の端部がフレキシブルプリント基板に形成される貫通孔を挿通するように設けられ、半田付けにて固定される。ワイヤ３７を以上のように構成することにより、レンズホルダ３２はワイヤ３７によってベース３１に対して揺動可能に支持されることになる。
【００６８】
（対物レンズアクチュエータの作用）
次に、以上のように構成される対物レンズアクチュエータ３０の作用について説明する。
【００６９】
フレキシブルプリント基板、リジッドプリント基板３５、及び上段のワイヤ３７を経由して、制御部からの信号に従った電流がフォーカスコイルに供給される。この場合、フォーカスコイルを流れる電流と、一対の永久磁石３３によって形成される磁界と、の電磁気的な作用により、レンズホルダ３２はフォーカス方向に変位する。このため、フォーカスコイルに供給する電流の大きさ及び向きを調整することでフォーカシング制御が可能となる。
【００７０】
フレキシブルプリント基板、リジッドプリント基板３５、及び下段のワイヤ３７を経由して、制御部からの信号に従った電流がトラッキングコイル３８に供給される。この場合、トラッキングコイル３８を流れる電流と、一対の永久磁石３３によって形成される磁界と、の電磁気的な作用により、レンズホルダ３２はトラッキング方向に変位する。このため、トラッキングコイル３８に供給する電流の大きさ及び向きを調整することでトラキング制御が可能となる。
【００７１】
（その他）
本発明は、以上に示した実施形態に限定されるものではなく、本発明の目的を逸脱しない範囲で種々の変更が可能である。
【００７２】
例えば、本実施形態では、レンズホルダ３２を、第１の側に３本、第２の側に３本、の合計６本のワイヤ３７で支持する構成の場合について示したが、ワイヤの数は本実施形態の数に限定される趣旨ではない。すなわち、片側２本ずつの計４本のワイヤでレンズホルダを支持する構成や、片側４本以上のワイヤでレンズホルダを支持する構成に対しても本発明は適用可能である。
【００７３】
また、本実施形態においては、リジッドプリント基板３５がゲルホルダ３４に固定配置され、リジッドプリント基板３５の外側面にフレキシブルプリント基板が配置される構成とした。しかし、ゲルホルダ３４に固定配置されるプリント基板はリジッドプリント基板３５に限られるものではない。すなわち、フレキシブルプリント基板をゲルホルダ３４と貼り付け、フレキシブルプリント基板の外側面にリジッドプリント基板３５を配置する構成としても構わない。この場合、突起部３５ｂはフレキシブルプリント基板に形成されることになる。
【００７４】
また、本実施形態では、対物レンズアクチュエータ３０に２つの対物レンズ１７、２５が搭載される構成としたが、これに限らず、対物レンズの数が１つ、或いは３つ以上の場合にも当然本発明は適用できる。また、本実施形態の対物レンズアクチュエータ３０においては、レンズホルダ３２にフォーカスコイルとトラッキングコイルとが設けられている構成としたが、さらに、チルトコイルが設けられていてもよい。なお、ここでいうチルトコイルは、レンズホルダ３２をフォーカス方向とトラッキング方向との両方に直交する軸の軸周り方向に回転する作用を発生するためのコイルである。
【産業上の利用可能性】
【００７５】
本発明は、対物レンズを所定の方向に移動可能とする対物レンズアクチュエータを備える光ピックアップ装置に利用できる。
【符号の説明】
【００７６】
１      光ピックアップ装置
１７    第１対物レンズ
２５    第２対物レンズ
３０    対物レンズアクチュエータ
３１    ベース
３２    レンズホルダ
３４    ゲルホルダ
３５    リジッドプリント基板
３５ｂ  突起部
３７    ワイヤ（棒状弾性支持部材）
【図１】
2012252751.tif 000003
【図２】
2012252751.tif 000004
【図３】
2012252751.tif 000005
【図４】
2012252751.tif 000006
【図５】
2012252751.tif 000007
【図６】
2012252751.tif 000008
【図７】
2012252751.tif 000009